(57)【要約】【課題】  触感の優れる内装用表面材（特に自動車の内装用表面材）、及びその製造方法を提供すること。【解決手段】  本発明の内装用表面材は、不織布表面に樹脂による模様を有し、内装用表面材の樹脂による模様を有する面は、表面粗さが２．５以下、摩擦係数の変動が０．０１５以下、かつ平均動摩擦係数が０．３以上である。また、本発明の内装表面材は、表面粗さが２．５以下、摩擦係数の変動が０．０１５以下、かつ平均動摩擦係数が０．１５以上である、樹脂による模様を有する面を有する第１不織布を形成する工程、表面粗さが３．５以下、摩擦係数の変動が０．０１５以下、かつ平均動摩擦係数が０．２５以上である主面を有する第２不織布を形成する工程、及び前記第１不織布の樹脂による模様を有する面が露出面となるように、第１不織布と第２不織布とを積層一体化する工程、により製造できる。【選択図】        なし【特許請求の範囲】
【請求項１】
不織布表面に樹脂による模様を有する内装用表面材であり、前記内装用表面材の樹脂による模様を有する面は、表面試験機（ＫＥＳ−ＦＢ４）で測定した、表面粗さ（ＳＭＤ）が２．５以下、摩擦係数の変動（ＭＭＤ）が０．０１５以下、かつ平均動摩擦係数（ＭＩＵ）が０．３以上であることを特徴とする、内装用表面材。
【請求項２】
前記樹脂による模様を有する面を有する第１不織布層と、前記第１不織布層以外の第２不織布層の、２つの不織布層を含むことを特徴とする、請求項１記載の内装用表面材。
【請求項３】
前記第２不織布層の厚さが１．５ｍｍ以上であることを特徴とする、請求項２記載の内装用表面材。
【請求項４】
表面試験機（ＫＥＳ−ＦＢ４）で測定した、表面粗さ（ＳＭＤ）が２．５以下、摩擦係数の変動（ＭＭＤ）が０．０１５以下、かつ平均動摩擦係数（ＭＩＵ）が０．１５以上である、樹脂による模様を有する面を有する第１不織布を形成する工程、
表面試験機（ＫＥＳ−ＦＢ４）で測定した、表面粗さ（ＳＭＤ）が３．５以下、摩擦係数の変動（ＭＭＤ）が０．０１５以下、かつ平均動摩擦係数（ＭＩＵ）が０．２５以上である主面を有する第２不織布を形成する工程、及び
前記第１不織布の樹脂による模様を有する面が露出面となるように、第１不織布と第２不織布とを積層一体化する工程、
を備えていることを特徴とする、請求項１記載の内装用表面材の製造方法。
【請求項５】
第１不織布は、繊度０．５〜６．６ｄｔｅｘの繊維を使用して繊維ウエブを形成し、繊維ウエブに樹脂をプリントして模様を形成した後、加熱加圧することによって製造した、平滑化した樹脂による模様を有する面を有する不織布であることを特徴とする、請求項４記載の内装用表面材の製造方法。
【請求項６】
第２不織布は、繊度０．５〜６．６ｄｔｅｘの繊維を使用して繊維ウエブを形成した後に、加熱加圧することによって平滑化した主面を有する不織布であることを特徴とする、請求項４又は請求項５記載の内装用表面材の製造方法。
【請求項７】
第２不織布の厚さが１．５ｍｍ以上であることを特徴とする、請求項４〜請求項６のいずれか一項に記載の内装用表面材の製造方法。
【発明の詳細な説明】
【技術分野】
【０００１】
本発明は内装用表面材及びその製造方法に関する。特には、天井、ドアサイド、ピラーガーニッシュ、リヤパッケージなど自動車内装材の表面材に好適な内装用表面材及びその製造方法に関する。
【背景技術】
【０００２】
例えば、自動車の内装用表皮材として、従来から装飾性に優れる繊維シートが使用されている。このような繊維シートとして、本願出願人は、自動車室内を広く感じることができ、圧迫感を和らげることのできるように、グラデーションを設けるようにプリントした装飾繊維シート（特許文献１）、着色した繊維シートに０．９以上の最小明度差を有するようにプリントした装飾繊維シート（特許文献２）、明度が変化するプリント単位を繰り返しプリントした装飾繊維シート（特許文献３）、少なくとも２種類のプリントを施した装飾繊維シート（特許文献４）、面状にプリントされた第１単位を繰り返し有し、隣接する第１単位間に、第１単位とは異なる状態にプリント、又はプリントされていない、第１単位と同じ外縁形状かつ同じ大きさの第２単位を有し、第１単位１つ以上と第２単位１つ以上との組合せが、第１単位の外縁形状と同じ外縁形状を有するようにプリントされた装飾繊維シート（特許文献５）、を提案した。
【０００３】
また、本願出願人は、成形性等に優れるように、乾熱収縮率が４％以上の延伸ポリエステル短繊維を５０ｍａｓｓ％以上含む、熱圧着されたプリント用不織布（特許文献６）、片面が１５ｇ／ｍ２量以上の繊維接着用バインダ樹脂により接着されているとともに、シリコーン又はフッ素を含む樹脂を含むプリントが施されたプリント不織布（特許文献７）、を提案した。
【０００４】
近年、触感の良い内装用表面材が望まれているが、上記特許文献１〜７の装飾繊維シート又はプリント不織布はいずれも満足する触感を有するものではなかった。
このような要求は自動車内装用表面材に限ったことではなく、オフィスにおける壁やパーティションの表面材として適用した場合も同様に、触感の優れる表面材が要望されていた。
【先行技術文献】
【特許文献】
【０００５】
【特許文献１】特開２０１２−１７９９８５号公報
【特許文献２】特開２０１２−２０１１７２号公報
【特許文献３】特開２０１３−１９４３４８号公報
【特許文献４】特開２０１４−５１２６８号公報
【特許文献５】特開２０１６−３５１２６号公報
【特許文献６】特開２０１４−１３３９５９号公報
【特許文献７】特開２０１４−２１４３９５号公報
【発明の開示】
【発明が解決しようとする課題】
【０００６】
本発明はこのような状況に鑑みてなされたものであり、触感の優れる内装用表面材（特に自動車の内装用表面材）、及びその製造方法を提供することを目的とする。
【課題を解決するための手段】
【０００７】
本発明は、
［１］不織布表面に樹脂による模様を有する内装用表面材であり、前記内装用表面材の樹脂による模様を有する面は、表面試験機（ＫＥＳ−ＦＢ４）で測定した、表面粗さ（ＳＭＤ）が２．５以下、摩擦係数の変動（ＭＭＤ）が０．０１５以下、かつ平均動摩擦係数（ＭＩＵ）が０．３以上である内装用表面材、
［２］樹脂による模様を有する面を有する第１不織布層と、第１不織布層以外の第２不織布層の、２つの不織布層を含む［１］の内装用表面材、
［３］第２不織布層の厚さが１．５ｍｍ以上である［２］の内装用表面材、
［４］表面試験機（ＫＥＳ−ＦＢ４）で測定した、表面粗さ（ＳＭＤ）が２．５以下、摩擦係数の変動（ＭＭＤ）が０．０１５以下、かつ平均動摩擦係数（ＭＩＵ）が０．１５以上である、樹脂による模様を有する面を有する第１不織布を形成する工程、表面試験機（ＫＥＳ−ＦＢ４）で測定した、表面粗さ（ＳＭＤ）が３．５以下、摩擦係数の変動（ＭＭＤ）が０．０１５以下、かつ平均動摩擦係数（ＭＩＵ）が０．２５以上である主面を有する第２不織布を形成する工程、及び前記第１不織布の樹脂による模様を有する面が露出面となるように、第１不織布と第２不織布とを積層一体化する工程、を備えている［１］の内装用表面材の製造方法、
［５］第１不織布は、繊度０．５〜６．６ｄｔｅｘの繊維を使用して繊維ウエブを形成し、繊維ウエブに樹脂をプリントして模様を形成した後、加熱加圧することによって製造した、平滑化した樹脂による模様を有する面を有する不織布である［４］の内装用表面材の製造方法、
［６］第２不織布は、繊度０．５〜６．６ｄｔｅｘの繊維を使用して繊維ウエブを形成した後に、加熱加圧することによって平滑化した主面を有する不織布である［４］又は［５］の内装用表面材の製造方法、
［７］第２不織布の厚さが１．５ｍｍ以上である［４］〜［６］の内装用表面材の製造方法、
である。
【発明の効果】
【０００８】
本発明［１］の内装用表面材は、表面粗さ（ＳＭＤ）が２．５以下、摩擦係数の変動（ＭＭＤ）が０．０１５以下、かつ平均動摩擦係数（ＭＩＵ）が０．３以上である、樹脂による模様を有する面（以下、「模様面」と表記することがある）を有する不織布からなる。このような表面粗さ、摩擦係数の変動、及び平均動摩擦係数を有する模様面は、触感に優れることを見出したのである。つまり、表面粗さが小さいということは模様面が平滑であり、摩擦係数の変動が小さいということは模様面が均一であり、しかも平均動摩擦係数が大きいということは内装用表面材が柔軟であることを意味し、これらの条件を満たした場合に、触感に優れることを見出したのである。
【０００９】
本発明の［２］の内装用表面材は、模様面を有する第１不織布層と第２不織布層の２つの不織布層を含んでいることによって、前記物性を満たしやすい。つまり、前記のような表面粗さと摩擦係数の変動とを満たすのに貢献度の大きい第１不織布層と、前記のような平均動摩擦係数を満たすのに貢献度の大きい第２不織布層とを含んでいることによって、前記物性を満たしやすい。
【００１０】
本発明の［３］の内装用表面材は、第２不織布層の厚さが１．５ｍｍ以上であることによって、前記のような平均動摩擦係数を満たしやすい。
【００１１】
本発明の［４］の内装用表面材の製造方法は、表面粗さが小さくて平滑、かつ摩擦係数の変動が小さくて均一な模様面を有する第１不織布と、平均動摩擦係数が大きくて柔軟性に優れる主面を有する第２不織布とを積層一体化することによって、［１］の内装用表面材を製造できる。
【００１２】
本発明の［５］の内装用表面材の製造方法は、比較的細い繊維を使用し、しかも樹脂をプリントして模様を形成した後に、加熱加圧することによって平滑化した模様面を有する第１不織布を形成しているため、平滑かつ均一な模様面を有する内装用表面材を製造しやすい。
【００１３】
本発明の［６］の内装用表面材の製造方法は、比較的細い繊維を使用し、しかも繊維ウエブを形成した後に、加熱加圧することによって平滑化した主面を有する第２不織布を形成しているため、平滑かつ均一な模様面を有する内装用表面材を製造しやすい。
【００１４】
本発明の［７］の内装用表面材の製造方法は、第２不織布の厚さが１．５ｍｍ以上であるため、前記のような平均動摩擦係数を満たす内装用表面材を製造しやすい。
【発明を実施するための最良の形態】
【００１５】
本発明の内装用表面材（以下、単に「表面材」と表記することがある）は、表面粗さ（ＳＭＤ）が２．５以下、摩擦係数の変動（ＭＭＤ）が０．０１５以下、かつ平均動摩擦係数（ＭＩＵ）が０．３以上である模様面を有する。本発明者は、このような物性を同時に満たすことによって、触感に優れていることを見出したのである。なお、本発明における「模様面」は不織布の面の中で、最も広い面積を有する面、かつ樹脂による模様を有する面を意味する。
【００１６】
この表面粗さは文字通り、模様面における凹凸、つまり平滑性を示す指標であり、本発明者の検討により、樹脂による模様を有するにもかかわらず、表面粗さ（ＳＭＤ）が２．５以下であれば、優れた触感であることに寄与できることを見出したのである。表面粗さ（ＳＭＤ）の値が小さい方が、平滑で、より優れた触感となる傾向があるため、表面粗さ（ＳＭＤ）は２．３以下であるのが好ましく、２．１以下であるのがより好ましい。なお、表面粗さ（ＳＭＤ）の下限は特に限定するものではないが、理想的には、全く凹凸のない表面粗さを示す０である。
【００１７】
この表面粗さ（ＳＭＤ）は表面試験機（ＫＥＳ−ＦＢ４）を用いて測定される値であり、表面材の試料（２０ｃｍ角）を試験機に４００ｇの荷重をかけてセットし、粗さ接触子（０．５ｍｍワイヤー、接触面幅：５ｍｍ）に１０．０ｇの加重をかけて試料の模様面に接触させ、試料を１ｍｍ／ｓｅｃ．の速度で移動させて測定した平均偏差を意味する。
【００１８】
また、摩擦係数の変動（ＭＭＤ）は、表面試験機（ＫＥＳ−ＦＢ４）を用いる測定を、摩擦子を表面材の模様面と当接させ、表面材を移動させることにより、摩擦子が表面材を撫でるような状態で測定するため、表面材の模様面の均一性を意味し、本発明者の検討により、樹脂による模様を有するにもかかわらず、摩擦係数の変動（ＭＭＤ）が０．０１５以下であれば、優れた触感であることに寄与できることを見出した。この摩擦係数の変動（ＭＭＤ）の値が小さければ小さい程、模様面が均一で、より優れた触感となる傾向があるため、摩擦係数の変動（ＭＭＤ）は０．０１３以下であるのが好ましく、０．０１１以下であるのがより好ましい。なお、摩擦係数の変動（ＭＭＤ）の下限は特に限定するものではないが、理想的には、摩擦係数が全く同じで、模様面が均一であることを示す０である。
【００１９】
この摩擦係数の変動（ＭＭＤ）は、表面試験機（ＫＥＳ−ＦＢ４）を用いて測定される値であり、表面材の試料（２０ｃｍ角）を試験機に４００ｇの荷重をかけてセットし、摩擦子（１０ｍｍ×１０ｍｍ）に５０ｇの加重をかけて試料の模様面に接触させ、試料を１ｍｍ／ｓｅｃ．の速度で移動させて測定した平均偏差を意味する。
【００２０】
更に、平均動摩擦係数（ＭＩＵ）は表面材の柔軟性を意味し、本発明者の検討により、平均動摩擦係数（ＭＩＵ）が０．３以上であれば、優れた触感であることに寄与できることを見出した。つまり、この平均動摩擦係数（ＭＩＵ）の測定は摩擦子に加重を掛けて表面材の模様面と接触させ、その状態で表面材を移動させて行なうことから、表面材が柔らかいと、摩擦子が表面材に沈み込んだ状態となり、その状態で表面材を移動させることから、平均動摩擦係数が大きくなるが、具体的に、平均動摩擦係数（ＭＩＵ）が０．３以上であれば、優れた触感であることに寄与できることを見出した。この平均動摩擦係数の値が大きい程、柔軟で、より優れた触感となる傾向があるため、平均動摩擦係数（ＭＩＵ）は０．３１以上であるのが好ましく、０．３２以上であるのがより好ましい。一方で、平均動摩擦係数（ＭＩＵ）の値が大き過ぎると、摩擦抵抗が強過ぎて、指が引っかかるような感触となり、逆に触感を損なう場合があるため、１．０以下であるのが好ましい。
【００２１】
この平均動摩擦係数（ＭＩＵ）は、表面試験機（ＫＥＳ−ＦＢ４）を用いて測定される値であり、前記摩擦係数の変動（ＭＭＤ）を測定する条件と同じ条件で測定した平均値を意味する。
【００２２】
このような表面粗さ、摩擦係数の変動、及び平均動摩擦係数を有する模様面を有する表面材は２つの不織布層を含んでいるのが好ましい。つまり、前述のような表面粗さと摩擦係数の変動とを満たすのに貢献度の大きい、表面材の前記模様面を有する第１不織布層と、前述のような平均動摩擦係数を満たすのに貢献度の大きい、前記第１不織布層とは別の第２不織布層とを含んでいるのが好ましい。
【００２３】
より具体的には、第１不織布層は表面粗さ（ＳＭＤ）が２．５以下、摩擦係数の変動（ＭＭＤ）が０．０１５以下の平滑で均一、かつ平均動摩擦係数（ＭＩＵ）が０．１５以上のある程度の柔らかさを有する模様面を有する不織布から構成されているのが好ましい。より好ましくは、表面粗さ（ＳＭＤ）が２．３以下、摩擦係数の変動（ＭＭＤ）が０．０１２以下、かつ平均動摩擦係数（ＭＩＵ）が０．１６以上の不織布からなり、更に好ましくは、表面粗さ（ＳＭＤ）が２．３以下、摩擦係数の変動（ＭＭＤ）が０．０１０以下、かつ平均動摩擦係数（ＭＩＵ）が０．１８以上の不織布からなる。
【００２４】
一方で、第２不織布層は表面粗さ（ＳＭＤ）が３．５以下、摩擦係数の変動（ＭＭＤ）が０．０１５以下のある程度、平滑で均一、かつ平均動摩擦係数（ＭＩＵ）が０．２５以上の柔らかい主面（以下、「柔軟主面」と表記することがある）を有する不織布から構成されているのが好ましい。より好ましくは、表面粗さ（ＳＭＤ）が３．２以下、摩擦係数の変動（ＭＭＤ）が０．０１３以下、かつ平均動摩擦係数（ＭＩＵ）が０．２７以上の不織布からなり、更に好ましくは、表面粗さ（ＳＭＤ）が３．０以下、摩擦係数の変動（ＭＭＤ）が０．０１１以下、かつ平均動摩擦係数（ＭＩＵ）が０．２９以上の不織布からなる。このように、第２不織布もある程度、平滑で均一な柔軟主面を有することによって、第１不織布層が本来有する平滑で均一な模様面への影響を最小限に抑えるようにするのが好ましい。そのため、第２不織布層の前記柔軟主面は、第１不織布層の前記物性を有する模様面に対向する主面と当接して積層一体化されているのが好ましい。
【００２５】
本発明の表面材は上述のように第１不織布層と第２不織布層とを含んでいるのが好ましいが、第１不織布層と第２不織布層以外の第３の不織布層を含んでいても良い。このような第３の不織布層を含んでいる場合、第１不織布層と第２不織布層によって達成される触感を損なうことがないように、第３の不織布層は表面粗さ（ＳＭＤ）が３．５以下、摩擦係数の変動（ＭＭＤ）が０．０１５以下、かつ平均動摩擦係数（ＭＩＵ）が０．１５以上であるのが好ましい。なお、このような第３の不織布層を有する場合であっても、第１不織布層と第２不織布層とは隣接して積層一体化した状態にあり、第１不織布層の模様面が露出し、表面材の模様面を構成しているのが好ましい。
【００２６】
この「不織布層」とは、その層自体で取り扱うことのできる形態安定性を有する不織布の層を意味する。つまり、その層自体が絡合、バインダ接着、及び／又は繊維融着によって、繊維同士が結合した不織布の状態にあることを意味する。そのため、未だ繊維同士が結合していない繊維ウエブを２枚以上積層した後、繊維同士を結合して不織布を製造した場合、不織布層は１層であり、２層以上の不織布層を有するものではない。このように繊維ウエブを２枚以上積層した場合、積層した繊維ウエブの表面が粗くなる傾向があり、この点を改善するために、積層した繊維ウエブを加熱加圧することによって、表面を平滑にすると、厚さが薄くなり、柔らかさが損なわれてしまう。このように、いずれにしても、本発明の表面材のような表面粗さ、摩擦係数の変動、及び平均動摩擦係数を同時に満たす、触感の優れる表面材を得ることは困難である。
【００２７】
本発明の表面材（例えば、第１不織布層、第２不織布層）を構成する繊維の繊度は特に限定するものではないが、ある程度細く、しかも分散性に優れていることによって、平滑かつ均一な模様面又は柔軟主面を形成しやすいように、０．５〜６．６ｄｔｅｘであるのが好ましく、０．５〜４．４ｄｔｅｘであるのがより好ましく、０．７〜３．３ｄｔｅｘであるのが更に好ましい。この「繊度」はＪＩＳ  Ｌ  １０１５（2010）、８．５．１（正量繊度）に規定されているＡ法により得られる値を意味する。
【００２８】
また、本発明の表面材（例えば、第１不織布層、第２不織布層）を構成する繊維の繊維長は特に限定するものではないが、分散性に優れていることによって、平滑かつ均一な模様面又は柔軟主面を形成しやすいように、２０〜１１０ｍｍであるのが好ましく、３０〜８０ｍｍであるのがより好ましい。なお、「繊維長」は、ＪＩＳ  Ｌ１０１５(2010)、８．４．１ｃ）直接法（Ｃ法）に則って測定した値をいう。
【００２９】
本発明の表面材（例えば、第１不織布層、第２不織布層）を構成する繊維も特に限定するものではないが、例えば、ポリエステル繊維、ナイロン繊維、アクリル繊維、ビニロン繊維、ビニリデン繊維、ポリ塩化ビニル繊維、ポリエチレン繊維、ポリプロピレン繊維、ポリウレタン繊維などの合成繊維；レーヨン繊維などの再生繊維；アセテート繊維などの半合成繊維；綿、麻などの植物繊維；羊毛などの動物繊維；などを挙げることができる。これらの中でも、耐熱性、耐候性、防汚性等に優れるポリエステル繊維、及び／又は難燃性に優れるレーヨン繊維を含んでいるのが好ましい。
【００３０】
また、本発明の表面材（例えば、第１不織布層、第２不織布層）を構成する繊維は白色であっても、白色以外の色に着色されていても良い。特に、表面材の模様面を構成する不織布（例えば、第１不織布層）は意匠性に優れているように、白色以外の色に着色しているのが好ましい。なお、着色した繊維は顔料を練り込み又は接着させて、及び／又は染料で染色して調製できる。
【００３１】
本発明の表面材（例えば、第１不織布層、第２不織布層）を構成する繊維はどのように配向していても良いが、平滑で均一な模様面を有するように、繊維同士が交差するように配向した状態にあるのが好ましい。このように繊維同士が交差するように配向した状態の不織布は、例えば、一方向性繊維ウエブをクロスレイヤー等によりクロスレイドウエブを形成し、繊維同士を結合して製造することができる。
【００３２】
本発明の表面材（例えば、第１不織布層、第２不織布層）は、柔軟性に優れているように、繊維同士が絡合した状態にあるのが好ましい。このような繊維同士が絡合した状態にある不織布は、例えば、繊維ウエブに対して、ニードルパンチ処理又は水流絡合処理を施すことによって製造することができる。特に、ニードルパンチ処理によれば、嵩高な不織布とすることができ、柔軟性により優れる不織布であるため好適である。
【００３３】
また、本発明の表面材（例えば、第１不織布層、第２不織布層）は、模様面の平滑性を維持できるように、繊維の毛羽立ちを抑え、耐磨耗性に優れているように、模様面を有する不織布構成繊維はバインダで接着した状態にあるのが好ましい。このようにバインダで接着した状態にある場合、バインダ量が多過ぎると、柔軟性が損なわれる傾向があるため、バインダ量は１〜２０ｇ／ｍ２であるのが好ましく、１〜１０ｇ／ｍ２であるのがより好ましく、１〜５ｇ／ｍ２であるのが更に好ましい。
【００３４】
また、バインダ量が前記範囲内であったとしても、バインダ樹脂自体が硬いと、不織布の柔軟性が損なわれる傾向があるため、バインダ樹脂のガラス転移温度は０℃以下であるのが好ましく、−１０℃以下であるのがより好ましく、−２０℃以下であるのが更に好ましく、−３０℃以下であるのが更に好ましい。一方で、バインダ樹脂のガラス転移温度が低過ぎると、粘着性が高くなり、触感が悪くなる傾向があり、また、表面材を成形する場合には、成形性が悪くなる傾向があるため、−５０℃以上であるのが好ましい。本発明における「ガラス転移温度」はＪＩＳ  Ｋ７１２１（2012）に則って描いたＤＳＣ曲線から読み取った中間点ガラス転移温度（Ｔｍｇ）を意味する。
【００３５】
なお、バインダ樹脂は、例えば、エチレンー塩化ビニル系、エチレンー酢酸ビニル系、エチレンー酢酸ビニルー塩化ビニル系、塩化ビニリデン系、塩化ビニル系、ポリエステル系、アクリル酸エステル系などの樹脂から構成することができる。
【００３６】
本発明の表面材は不織布表面に樹脂による模様を有するものであるため、意匠性に優れるものである。なお、上述のように、バインダで接着した不織布が模様面を有する場合、模様面の平滑性に優れ、また、鮮明な模様であることができるように、不織布のバインダで接着した面に樹脂による模様を有し、模様面を構成しているのが好ましい。
【００３７】
本発明の表面材における模様面の模様は特に限定するものではないが、例えば、市松模様、チェック模様、波模様、格子模様、幾何学模様を千鳥状又は格子状にドット配置した模様、ストライプ模様、ヘリンボーン模様、又は特開２０１２−１７９９８５号公報に開示されているように、色差が徐々に変化する模様、実用新案登録第３０７２４９３号に開示されているような立体模様、特開２０１２−１７９９８５号公報に開示されているようなグラデーション模様、特開２０１３−１９４３４８号公報に開示されているような明度が変化するプリント単位を繰り返した模様、などであることができる。
【００３８】
本発明の表面材の模様面における模様を形成する樹脂は模様を形成できれば良く、特に限定するものではないが、前述の不織布構成繊維のバインダと同様の樹脂から構成することができる。つまり、例えば、エチレンー塩化ビニル系、エチレンー酢酸ビニル系、エチレンー酢酸ビニルー塩化ビニル系、塩化ビニリデン系、塩化ビニル系、ポリエステル系、アクリル酸エステル系などの樹脂から構成することができる。
【００３９】
また、模様を構成する樹脂も模様面の柔軟性を損なうことがないように、樹脂のガラス転移温度は０℃以下であるのが好ましく、−１０℃以下であるのがより好ましく、−２０℃以下であるのが更に好ましく、−３０℃以下であるのが更に好ましい。一方で、樹脂のガラス転移温度が低過ぎると、粘着性が高くなり、触感が悪くなる傾向があるため、−５０℃以上であるのが好ましい。
【００４０】
なお、本発明の表面材が意匠性に優れているように、樹脂によって顔料が固定された模様を有する模様面であるのが好ましい。
【００４１】
また、模様面における樹脂量（顔料等の他成分を含む場合には、他成分も含む量）は、摩擦等によっても模様が変化しにくいように、１ｇ／ｍ２以上であるのが好ましく、２ｇ／ｍ２以上であるのがより好ましく、３ｇ／ｍ２以上であるのが更に好ましい。一方で、樹脂量が多過ぎると、前述の表面粗さ、摩擦係数の変動及び平均動摩擦係数を満たすのが困難で、触感が悪くなる傾向があるため、４０ｇ／ｍ２以下であるのが好ましく、２０ｇ／ｍ２以下であるのがより好ましく、１０ｇ／ｍ２以下であるのが更に好ましい。
【００４２】
本発明の表面材の目付は、前述の表面粗さ、摩擦係数の変動、及び平均動摩擦係数を満たす限り、特に限定するものではないが、透けや破れが発生しにくいように、１５０ｇ／ｍ２以上であるのが好ましく、軽量で、成形する場合には、成形性に優れているように、５００ｇ／ｍ２以下であるのが好ましい。なお、表面材が第１不織布層と第２不織布層とを含んでいる場合には、第１不織布層の目付は、模様面が平滑で均一、かつある程度の柔らかさを有するように、５０〜２００ｇ／ｍ２であるのが好ましく、１００〜２００ｇ／ｍ２であるのがより好ましく、１５０〜２００ｇ／ｍ２であるのが更に好ましい。一方で、第２不織布層の目付は、表面材に柔軟性を付与できるように、１００〜３００ｇ／ｍ２であるのが好ましく、１３０〜２５０ｇ／ｍ２であるのがより好ましく、１５０〜２００ｇ／ｍ２であるのが更に好ましい。
【００４３】
本発明の表面材の厚さは特に限定するものではないが、柔軟性に優れ、触感が優れているように、２．０ｍｍ以上であるのが好ましく、２．３ｍｍ以上であるのがより好ましく、２．５ｍｍ以上であるのが更に好ましい。不織布の厚さの上限は特に限定するものではないが、軽量であるように、３．５ｍｍ以下であるのが好ましく、３．０ｍｍ以下であるのがより好ましい。なお、表面材が第１不織布層と第２不織布層とを含んでいる場合には、第１不織布層の厚さはある程度柔軟性に優れているように、０．５〜２．０ｍｍであるのが好ましく、０．８〜１．８ｍｍであるのがより好ましく、１．０〜１．５ｍｍであるのが更に好ましい。一方で、第２不織布層の厚さは表面材に柔軟性を付与できるように、１．５ｍｍ以上であるのが好ましく、１．６ｍｍ以上であるのがより好ましい。なお、第２不織布層の厚さの上限は特に限定するものではないが、軽量であるように、３．５ｍｍ以下であるのが好ましい。この「厚さ」は２．０ｋＰａ荷重時の値を意味し、表面材が第１不織布層と第２不織布層とを有する場合には、２．０ｋＰａ荷重時の表面材の厚さ方向断面における実体顕微鏡写真を撮影し、無作為に選んだ５点における厚さの算術平均値を意味する。
【００４４】
なお、本発明の表面材を構成する不織布が第１不織布層と第２不織布層とを有するように、不織布層を２層以上有する場合、隣接する不織布層同士はどのような状態で結合していても良いが、第１不織布層と第２不織布層とを有する場合、第１不織布層の平滑かつ均一な模様面の表面状態を損なうことがないように、また、第１不織布層と第２不織布層の柔軟性を損なうことがないように、接着剤によって結合しているのが好ましい。このように接着剤で結合している場合、表面材の柔軟性を損なうことなく、しっかりと結合した状態にあることができるように、接着剤量は１〜３０ｇ／ｍ２であるのが好ましく、５〜２５ｇ／ｍ２であるのがより好ましく、１０〜２０ｇ／ｍ２であるのが更に好ましい。
【００４５】
この接着剤としては、例えば、エチレンー塩化ビニル系、エチレンー酢酸ビニル系、エチレンー酢酸ビニルー塩化ビニル系などのエチレン系共重合体；ポリエチレン、ポリプロピレンなどのポリオレフィン系樹脂；ポリアミド系共重合体、塩化ビニリデン系樹脂、塩化ビニル系樹脂、ポリエステル系樹脂、アクリル酸エステル系樹脂などの樹脂から構成することができる。接着剤はホットメルト型接着剤、エマルジョン型、又はサスペンジョン型であることができるが、ホットメルト型接着剤の場合、ホットメルト型接着剤の接着作用を発揮させる場合に、第１不織布層及び第２不織布層の表面状態が変化しないように、ホットメルト型接着剤の融点は、第１不織布構成繊維及び第２不織布構成繊維を構成する樹脂の中で最も融点の低い樹脂の融点よりも低いのが好ましく、前記樹脂の融点よりも３０℃以上低いのがより好ましい。
【００４６】
このような本発明の表面材は意匠性及び触感が優れているため、天井、ドアサイド、ピラーガーニッシュ、リヤパッケージなど自動車用；パーティションなどのインテリア用；壁装材などの建材用に、好適に使用することができる。
【００４７】
このような本発明の、表面粗さ（ＳＭＤ）が２．５以下、摩擦係数の変動（ＭＭＤ）が０．０１５以下、かつ平均動摩擦係数（ＭＩＵ）が０．３以上である模様面を有する表面材は、例えば、表面試験機（ＫＥＳ−ＦＢ４）で測定した、表面粗さ（ＳＭＤ）が２．５以下（好ましくは２．３以下）、摩擦係数の変動（ＭＭＤ）が０．０１５以下（好ましくは０．０１２以下、より好ましくは０．０１０以下）、かつ平均動摩擦係数（ＭＩＵ）が０．１５以上（好ましくは０．１６以上、より好ましくは０．１８以上）である模様面を有する第１不織布と、表面試験機（ＫＥＳ−ＦＢ４）で測定した、表面粗さ（ＳＭＤ）が３．５以下（好ましくは３．２以下、より好ましくは３．０以下）、摩擦係数の変動（ＭＭＤ）が０．０１５以下（好ましくは０．０１３以下、より好ましくは０．０１１以下）、かつ平均動摩擦係数（ＭＩＵ）が０．２５以上（好ましくは０．２７以上、より好ましくは０．２９以上）である柔軟主面を有する第２不織布とを作製した後、第１不織布の模様面が露出面となるように、第１不織布と第２不織布とを積層一体化することによって製造することができる。
【００４８】
具体的には、まず、平滑かつ均一で、ある程度柔軟性に優れる模様面を有する第１不織布を製造する。このような第１不織布を製造しやすいように、前述の通り、繊度が０．５〜６．６ｄｔｅｘ（好ましくは０．５〜４．４ｄｔｅｘ、より好ましくは０．７〜３．３ｄｔｅｘ）で、繊維長が２０〜１１０ｍｍ（好ましくは３０〜８０ｍｍ）の繊維を準備する。また、前述の通り、繊維はポリエステル繊維及び／又はレーヨン繊維であるのが好ましい。更に、繊維は着色した繊維であるのが好ましい。
【００４９】
次いで、準備した繊維を用いて、繊維ウエブを形成する。繊維ウエブの形成方法は特に限定するものではないが、比較的嵩高で、柔軟な繊維ウエブを形成できる、カード法などの乾式法により繊維ウエブを形成するのが好ましい。なお、平滑で均一な模様面を有する第１不織布を形成しやすいように、第１不織布の模様面の元となる繊維ウエブの主面において、繊維同士が交差した状態にあるように繊維を配向させるのが好ましい。例えば、一方向性繊維ウエブをクロスレイヤー等によりクロスレイドウエブを形成することによって、繊維同士が交差した状態とするのが好ましい。
【００５０】
次いで、繊維同士を結合して前駆第１不織布を製造する。この結合方法は特に限定するものではないが、前駆第１不織布がある程度、柔軟性に優れているように、ニードルパンチ処理又は水流絡合により結合するのが好ましく、より柔軟性に優れる前駆第１不織布を製造しやすい、ニードルパンチ処理により結合するのが好ましい。
【００５１】
また、表面の平滑性を維持できるように、また、繊維の毛羽立ちを抑え、耐磨耗性に優れているように、繊維ウエブの主面をバインダで接着するのが好ましい。このようなバインダは、前述の通り、例えば、エチレンー塩化ビニル系、エチレンー酢酸ビニル系、エチレンー酢酸ビニルー塩化ビニル系、塩化ビニリデン系、塩化ビニル系、ポリエステル系、アクリル酸エステル系などの樹脂からなるエマルジョン又はサスペンジョンを用いることができる。このようなバインダを用いる接着は、繊維ウエブ（好ましくはニードルパンチウエブ又は水流絡合ウエブ）の片面又は両面に、バインダを含浸、泡立て含浸、コーティング、又はスプレーし、乾燥して実施できる。なお、バインダ量は前述の通り、１〜２０ｇ／ｍ２（好ましくは１〜１０ｇ／ｍ２、より好ましくは１〜５ｇ／ｍ２）であるのが好ましい。また、バインダ樹脂のガラス転移温度は０〜−５０℃（好ましくは−１０〜−５０℃、より好ましくは−２０〜−５０℃、更に好ましくは−３０℃〜−５０℃）であるのが好ましい。
【００５２】
次いで、このような前駆第１不織布の主面に対して、樹脂をプリントし、樹脂による模様を付して、第１不織布とすることができる。このような樹脂のプリント方法は、従来から公知の方法であることができ、例えば、所望模様に対応する開口を有するシリンダを用意し、このシリンダを通して樹脂（好ましくは顔料を含む）をプリントして実施できる。なお、二種類以上の模様を有する場合には、前記操作を繰り返すことによって実施できる。なお、樹脂としては、前述の通り、例えば、エチレンー塩化ビニル系、エチレンー酢酸ビニル系、エチレンー酢酸ビニルー塩化ビニル系、塩化ビニリデン系、塩化ビニル系、ポリエステル系、アクリル酸エステル系などの樹脂から構成することができる。また、樹脂に加えて顔料を含む場合、顔料の色、種類、及び量は適宜調整することができる。更に、プリント方法はシリンダを使用する方法に限定されず、例えば、グラビア印刷、凸版印刷、オフセット印刷、スクリーン印刷などにより実施することができ、特に限定するものではない。
【００５３】
このようにして製造した第１不織布は樹脂による模様を有することもあり、平滑性、均一性が不十分で、表面粗さ（ＳＭＤ）が２．５以下、摩擦係数の変動（ＭＭＤ）が０．０１５以下である模様面を有していない傾向があるため、加熱加圧することによって平滑化し、平滑な模様面を有する第１不織布を製造するのが好ましい。この加熱加圧条件は、表面粗さ（ＳＭＤ）が２．５以下、摩擦係数の変動（ＭＭＤ）が０．０１５以下、かつ平均動摩擦係数（ＭＩＵ）が０．１５以上である模様面を有する第１不織布となる条件であれば良く、第１不織布構成繊維、バインダの種類、模様を構成する樹脂の種類等によって異なるため、適宜、実験により調整する。なお、加熱と加圧は同時に行っても良いし、加熱後に加圧しても良い。例えば、加熱ロールを用いれば加熱と加圧を同時に実施することができ、オーブン等により加熱した後に、加熱温度よりも低い温度の一対のロールによって加圧すれば、加熱と加圧を別に実施することができる。
【００５４】
前記加熱加圧によって、ある程度、第１不織布の厚さを調節することができるが、厚さを調節するために、加熱加圧処理後に厚さ調整をして、第１不織布の厚さを０．５〜２．０ｍｍ（より好ましくは０．８〜１．８ｍｍ、更に好ましくは１．０〜１．６ｍｍ）とするのが好ましい。この厚さ調整は、例えば、一対のロール間を通過させることによって実施できる。
【００５５】
一方で、柔軟性に優れ、ある程度平滑かつ均一な柔軟主面を有する第２不織布を製造する。このような第２不織布を製造しやすいように、前述の通り、繊度が０．５〜６．６ｄｔｅｘ（好ましくは０．５〜４．４ｄｔｅｘ、より好ましくは０．７〜３．３ｄｔｅｘ）で、繊維長が２０〜１１０ｍｍ（好ましくは３０〜８０ｍｍ）の繊維を準備する。また、前述の通り、繊維はポリエステル繊維及び／又はレーヨン繊維であるのが好ましい。更に、繊維は着色していても、着色していなくても良いが、表面材を成形する場合、第１不織布構成繊維と同系統に着色していると、成形時における透けを防止し、外観を損ないにくいため、第１不織布構成繊維と同系統の色相に着色した繊維を準備するのが好ましい。
【００５６】
次いで、準備した繊維を用いて、繊維ウエブを形成する。繊維ウエブの形成方法は特に限定するものではないが、比較的嵩高で、柔軟な繊維ウエブを形成できる、カード法などの乾式法により繊維ウエブを形成するのが好ましい。なお、ある程度、平滑で均一な柔軟主面を有する第２不織布を形成しやすいように、第２不織布の柔軟主面の元となる繊維ウエブの主面において、繊維同士が交差した状態にあるように繊維を配向させるのが好ましい。例えば、一方向性繊維ウエブをクロスレイヤー等によりクロスレイドウエブを形成することによって、繊維同士が交差した状態とするのが好ましい。
【００５７】
次いで、繊維同士を結合して前駆第２不織布を製造する。この結合方法は特に限定するものではないが、前駆第２不織布が柔軟性に優れているように、ニードルパンチ処理又は水流絡合により結合するのが好ましく、より柔軟性に優れる前駆第２不織布を製造しやすい、ニードルパンチ処理により結合するのが好ましい。
【００５８】
また、表面の平滑性を保持できるように、バインダで接着するのが好ましい。このようなバインダ接着は、第１不織布と同様のバインダを用いて、同様の方法により実施できる。なお、バインダ量は前述の通り、１〜２０ｇ／ｍ２（好ましくは１〜１０ｇ／ｍ２、より好ましくは１〜５ｇ／ｍ２）であるのが好ましい。また、バインダ樹脂のガラス転移温度は０〜−５０℃（好ましくは−１０〜−５０℃、より好ましくは−２０〜−５０℃、更に好ましくは−３０℃〜−５０℃）であるのが好ましい。
【００５９】
このようにして繊維同士を結合した前駆第２不織布は平滑性、均一性が不十分で、表面粗さ（ＳＭＤ）が３．５以下、摩擦係数の変動（ＭＭＤ）が０．０１５以下である柔軟主面を有していない傾向があるため、加熱加圧することによって、前駆第２不織布表面を平滑化して、第２不織布とするのが好ましい。この加熱加圧条件は、表面粗さ（ＳＭＤ）が３．５以下、摩擦係数の変動（ＭＭＤ）が０．０１５以下、かつ平均動摩擦係数（ＭＩＵ）が０．２５以上である柔軟主面を有する第２不織布となる条件であれば良く、第２不織布構成繊維、バインダの種類等によって異なるため、適宜、実験により調整する。なお、加熱と加圧は、第１不織布と同様に、同時に行っても良いし、加熱後に加圧しても良い。
【００６０】
前記加熱加圧によって、ある程度、第２不織布の厚さを調節することができるが、厚さを調節するために、加熱加圧処理後に厚さ調整をして、第２不織布の厚さを１．５ｍｍ以上（好ましくは１．６〜３．５ｍｍ）とするのが好ましい。この厚さ調整は、例えば、一対のロール間を通過させることによって実施できる。
【００６１】
次いで、上述のように形成した第１不織布と第２不織布とを積層一体化するために、第１不織布と第２不織布とを接着できる接着剤を準備する。この接着剤は第１不織布と第２不織布とを接着できるものであれば良く、特に限定するものではないが、例えば、エチレンー塩化ビニル系、エチレンー酢酸ビニル系、エチレンー酢酸ビニルー塩化ビニル系などのエチレン系共重合体；ポリエチレン、ポリプロピレンなどのポリオレフィン系樹脂；ポリアミド系共重合体、塩化ビニリデン系樹脂、塩化ビニル系樹脂、ポリエステル系樹脂、アクリル酸エステル系樹脂などの樹脂から構成することができる。なお、接着剤の態様は特に限定するものではないが、揮発性有機物質の発生を抑制しやすく、第１不織布及び第２不織布の平滑性と柔軟性を維持した状態で積層一体化しやすい、熱によって融着できるホットメルト型の接着剤であるのが好ましい。
【００６２】
このように好適なホットメルト型接着剤の場合、ホットメルト型接着剤の接着作用を発揮させる際に、第１不織布及び第２不織布の表面状態が変化しないように、ホットメルト型接着剤の融点は、第１不織布構成繊維及び第２不織布構成繊維を構成する樹脂の中で最も融点の低い樹脂の融点よりも低いのが好ましく、前記樹脂の融点よりも３０℃以上低いのがより好ましい。
【００６３】
また、第１不織布の平滑かつ均一な模様面の表面状態を損なうことがないように、また、第２不織布の柔軟性を損なうことなく、第１不織布と第２不織布とを強固に結合できるように、１〜３０ｇ／ｍ２（好ましくは５〜２５ｇ／ｍ２、より好ましくは１０〜２０ｇ／ｍ２）量の接着剤を用意するのが好ましい。例えば、ホットメルト型の接着剤の場合には、前記量の繊維ウエブ、繊維、又は粉体を用意し、エマルジョン型又はサスペンジョン型の接着剤の場合には、乾燥後の固形分量が前記量となるだけの接着剤を用意する。
【００６４】
次いで、第１不織布と第２不織布とを積層一体化するために、第２不織布の表面粗さ（ＳＭＤ）が３．５以下、摩擦係数の変動（ＭＭＤ）が０．０１５以下、かつ平均動摩擦係数（ＭＩＵ）が０．２５以上の柔軟主面、又は第１不織布の表面粗さ（ＳＭＤ）が２．５以下、摩擦係数の変動（ＭＭＤ）が０．０１５以下、かつ平均動摩擦係数（ＭＩＵ）が０．１５以上である模様面に対向する主面に対して、接着剤を付与する。例えば、接着剤が繊維ウエブであれば積層し、繊維又は粉体であれば散布し、エマルジョン型又はサスペンジョン型であれば塗布又は散布する。
【００６５】
次いで、前記接着剤の上に、前者の場合であれば、第２不織布の柔軟主面に、第１不織布の模様面に対向する主面が対向するように積層し、後者の場合であれば、第１不織布の模様面に対向する主面に、第２不織布の柔軟主面が対向するように積層する。つまり、第１不織布の模様面が積層物の露出面となるように、第１不織布と第２不織布を積層する。
【００６６】
そして、接着剤の接着作用を発揮させ、第１不織布と第２不織布とを一体化して、本発明の表面材を製造することができる。例えば、ホットメルト型の接着剤の場合には、接着剤が溶融する融点以上の温度で加熱し、エマルジョン型又はサスペンジョン型の接着剤の場合には、溶媒が揮発する温度で加熱し、接着剤の接着作用を発揮させて、第１不織布と第２不織布とを一体化する。
【００６７】
なお、接着剤の接着作用を十分に発揮できるように、加熱加圧することもできるが、加熱温度が高すぎる、加圧力が強過ぎる、及び／又は加熱加圧時間が長いと、第１不織布及び第２不織布が有する平滑性、均一性、及び／又は柔軟性を損なう傾向があるため、必要最低限の条件で加熱加圧し、表面材の表面粗さ（ＳＭＤ）が２．５以下、摩擦係数の変動（ＭＭＤ）が０．０１５以下、かつ平均動摩擦係数（ＭＩＵ）が０．３以上の模様面を有するようにする。なお、この加熱加圧条件は接着剤によって異なるため、実験によって適宜調整する。
【実施例】
【００６８】
以下に、本発明の実施例を記載するが、本発明は以下の実施例に限定されるものではない。
【００６９】
（実施例１〜２、比較例１〜４）
（第１不織布の製造）
グレーに着色したポリエステル短繊維（繊度：２．２ｄｔｅｘ、繊維長：５１ｍｍ、融点：２６０℃）を１００％用いて、カード機により開繊して一方向性繊維ウエブを形成した後、クロスレイヤーにより、繊維同士が交差した状態のクロスレイウエブを形成し、更にニードルパンチ処理を行って絡合し、表１に示すようなニードルパンチウエブを形成した。
【００７０】
次いで、このニードルパンチウエブの片面に対して、アクリル酸エステル（ガラス転移温度：−４０℃）のエマルジョンバインダ溶液を泡立て含浸し、温度１５０℃のキャンドライヤーで乾燥した。
【００７１】
次いで、ニードルパンチウエブのバインダ含浸面に対して、次に示す固形分比率からなるプリント液を、ロータリースクリーン型プリント装置にてプリントした後、温度１６０℃のドライヤーで乾燥して、「く」の字状のプリント樹脂（線幅：０．３ｍｍ）を千鳥状に配置した模様を有する第１不織布を製造した。
【００７２】
（プリント液）
アクリル酸エステルバインダ（ガラス転移温度：−４０℃）：９０．６
消泡剤                                                ：１．８
増粘剤                                                ：７．１
顔料                                                  ：０．５
【００７３】
そして、表１に示すような条件で、熱カレンダーロール間を通過させることにより加熱加圧を実施して模様面を平滑化し、表１に示す第１不織布をそれぞれ製造した。
【００７４】
【表１】
2018039432.tif 000002
【００７５】
（第２不織布の製造）
グレーに着色したポリエステル短繊維（繊度：２．２ｄｔｅｘ、繊維長：５１ｍｍ、融点：２６０℃）を１００％用いて、カード機により開繊して一方向性繊維ウエブを形成した後、クロスレイヤーにより、繊維同士が交差した状態のクロスレイウエブを形成し、更にニードルパンチ処理を行って絡合し、表２に示すようなニードルパンチウエブを形成した。
【００７６】
次いで、このニードルパンチウエブの片面に対して、アクリル酸エステル（ガラス転移温度：−４０℃）のエマルジョンバインダ溶液を泡立て含浸し、温度１５０℃のキャンドライヤーで乾燥した後、表２に示すような条件で、熱カレンダーロール間を通過させることにより加熱加圧を実施して平滑化し、表２に示すような第２不織布をそれぞれ製造した。
【００７７】
【表２】
2018039432.tif 000003
【００７８】
（接着剤不織布の準備）
接着剤不織布として、ポリエチレン繊維（融点：１１０℃）からなる、目付１７ｇ／ｍ２のホットメルト型接着剤不織布を準備した。
【００７９】
（表面材の製造）
前記第２不織布の表２に示すような物性を有する柔軟主面上に、前記接着剤不織布を積層し、更に、接着剤不織布上に、第１不織布の表１に示すような物性を有する模様面に対向する主面が接着剤不織布と当接するように第１不織布を積層し、その状態で、温度１３０℃、加圧力９．８Ｎの加熱加圧を１０秒間実施し、第１不織布と第２不織布とを接着一体化して、表３に示すような表面材をそれぞれ製造した。なお、比較例４においては、接着一体化後に、温度１８０℃のロール間（ギャップ：０．２ｍｍ）を通過させるヒートロール処理を行なうことによって、表面材表面を平滑化した。
【００８０】
【表３】
2018039432.tif 000004
【００８１】
（表面材の評価）
モニターに直接、表面材の第１不織布側模様面を触ってもらうことにより、平滑さ、均一さ、柔らかさについて、５段階で評価してもらった。なお、優れている場合、「５」と評価し、劣っている場合、「１」と評価し、その中間に関して、「２〜４」で評価してもらった。この結果は表３に示す通りであった。
【００８２】
この表３から、次のことがわかった。
（１）実施例１と実施例２の比較から、プリント樹脂量が異なっても、表面材の模様面の平均動摩擦係数（ＭＩＵ）が０．３０以上、表面粗さ（ＳＭＤ）が２．５以下、かつ摩擦係数の変動（ＭＭＤ）が０．０１５以下であると、触感が優れている。
（２）実施例１、２と比較例１との比較から、表面材の模様面の平均動摩擦係数（ＭＩＵ）が０．３０以上であることによって、柔軟性に優れている。また、第２不織布層を有することによって、柔軟性が向上する。
（３）実施例１、２と比較例２との比較から、表面材の模様面の表面粗さ（ＳＭＤ）が２．５以下、かつ摩擦係数の変動（ＭＭＤ）が０．０１５以下であることによって、平滑性及び均一性に優れている。また、第２不織布の平滑性及び均一性が優れていても、表面材の模様面を構成している第１不織布の平滑性及び均一性が不十分であると、平滑性及び均一性に優れた表面材とはならず、第１不織布の模様面の平滑性及び均一性が表面材の平滑性及び均一性に大きな影響を与える。
（４）実施例１、２と比較例３との比較からも、表面材の模様面の表面粗さ（ＳＭＤ）が２．５以下、かつ摩擦係数の変動（ＭＭＤ）が０．０１５以下であることによって、平滑性及び均一性に優れている。また、第１不織布の模様面が平滑性及び均一性が優れていても、第２不織布の平滑性及び均一性が不十分であると、平滑性及び均一性に優れた表面材とはならず、第２不織布の平滑性及び均一性が表面材の平滑性及び均一性に大きな影響を与える。
（５）実施例１、２と比較例４との比較からも、表面材の模様面の平均動摩擦係数（ＭＩＵ）が０．３０以上の模様面を有することによって、柔軟性に優れている。また、表面材の平滑性及び均一性を高めるために、ヒートロール処理をすると、模様面の平均動摩擦係数（ＭＩＵ）を０．３０以上の柔軟性に優れた表面材とすることができず、表面粗さ（ＳＭＤ）が２．５以下、摩擦係数の変動（ＭＭＤ）が０．０１５以下、かつ平均動摩擦係数（ＭＩＵ）が０．１５以上の模様面を有する第１不織布と、表面粗さ（ＳＭＤ）が３．５以下、摩擦係数の変動（ＭＭＤ）が０．０１５以下、かつ平均動摩擦係数（ＭＩＵ）が０．２５以上の柔軟主面を有する第２不織布とを積層するのが好ましいこと。
【産業上の利用可能性】
【００８３】
本発明の内装用表面材は意匠性及び触感が優れているため、天井、ドアサイド、ピラーガーニッシュ、リヤパッケージなど自動車用；パーティションなどのインテリア用；壁装材などの建材用に、好適に使用することができる。